(57)【要約】  【課題】  【解決手段】本発明は、デジタル画像を加工して壁紙を印刷する方法およびシステムである。このシステムは、プリンタ（１５０）が接続されたホストコンピュータ（１３０）と、ユーザー端末コンピュータ（１２０）とを備え、これらは通信回線（１４０）を介して通信する。このシステムを利用して、デザイン（２１１）が分割して印刷された複数の印刷物を提供することができる。デザイン（２１１）は、端末コンピュータ（１２０）からホストコンピュータ（１３０）に送信されたデジタル画像に基づく。このデジタル画像は各部分に分割され、各部分は印刷物（２２０、２３０、２４０、２５０）のうちの一つにプリントされるのに適している。プリンタ（１５０）は各部分を対応する印刷物に印刷する。プリントされた複数の印刷物（２２０、２３０、２４０、２５０）は壁に配列され、デザイン（２１１）が再構成される。【選択図】図２
2007534252.tif 000002
【特許請求の範囲】
【請求項１】
印刷手段（１５０）を備えるホストコンピュータ（１３０）と、端末コンピュータ（１２０）と、端末コンピュータ（１２０）およびホストコンピュータ（１３０）を通信させる通信手段（１４０）とを備えるプリントシステム（１１０）により壁紙を印刷する方法において、当該方法が：
（ａ）対象とする壁紙の境界（２６０）の大きさを決定するステップと；
（ｂ）前記通信手段（１４０）を介して前記端末コンピュータ（１２０）からホストコンピュータ（１３０）にデジタル画像を送信して、壁紙のデザインを形成するようアレンジするステップと；
（ｃ）ホストコンピュータ（１３０）で壁紙のデザインの大きさを変更して、決定された前記対象とする壁紙の境界（２６０）の大きさとほぼ等しい大きさにするステップと；
（ｄ）大きさが変更され複数の印刷物（２２０、２３０、２４０、２５０）にプリントされる壁紙のデザインを分割して、前記壁紙のデザインを再び構成すべく、このプリントされる印刷物を配列可能にするステップと；
（ｅ）通信手段（１４０）を介してホストコンピュータ（１３０）から端末コンピュータ（１２０）へ複数のプリントされる印刷物（２２０、２３０、２４０、２５０）の画像を送信するステップと；
（ｆ）ユーザーが見られるように端末コンピュータ（１２０）の画面に複数のプリントされる印刷物（２２０、２３０、２４０、２５０）の画像を表示するステップと；
（ｇ）ホストコンピュータ（１３０）の印刷装置（１５０）で複数の印刷物（２２０、２３０、２４０、２５０）を印刷するステップと；
を含むことを特徴とする方法。
【請求項２】
請求項１に記載の方法において、前記ステップ（ａ）は、前記対象とする壁紙の境界（２６０）の大きさを、前記端末コンピュータ（１２０）が当該大きさを前記ホストコンピュータ（１３０）に送信することにより、決定するステップを含むことを特徴とする方法。
【請求項３】
請求項１または２に記載の方法において、ステップ（ｃ）は：
前記受信したデジタル画像をホストコンピュータ（１３０）の記憶装置に記憶するステップと；
前記デジタル画像の拡大率を決定するステップと；
前記デジタル画像をリサンプルして、前記決定された拡大率により当該デジタル画像の大きさを変更するステップと；
を含むことを特徴とする方法。
【請求項４】
請求項１乃至３に記載の方法において、ステップ（ｂ）は、複数のサブイメージを含むデジタル画像を前記ホストコンピュータに送信するステップを含むことを特徴とする方法。
【請求項５】
請求項１乃至４に記載の方法において：
ステップ（ｅ）が、端末コンピュータ（１２０）に各印刷物の端部の位置に関する情報を送信するステップと；
ステップ（ｆ）が、ユーザーに各印刷物の端部の位置の目安を表示するステップとを含むことを特徴とする方法。
【請求項６】
請求項１乃至５に記載の方法が、決定された前記対象とする壁紙の境界（２６０）の成す大きさに基づいて前記壁紙を印刷する費用を計算するステップを含むことを特徴とする方法。
【請求項７】
請求項１乃至６に記載の方法において、前記デジタル画像はデジタル写真であることを特徴とする方法。
【請求項８】
請求項１乃至７に記載の方法において、前記対象とする壁紙の境界（２６０）の大きさは最小で１．６ｍ×１．６ｍであることを特徴とする方法。
【請求項９】
請求項１乃至８に記載の方法を実現するようアレンジされた端末コンピュータ。
【請求項１０】
請求項１乃至８に記載の方法を実現するようアレンジされたホストコンピュータ。
【発明の詳細な説明】
【技術分野】
【０００１】
本発明は一般に壁紙を印刷する方法とシステムに関する。
【発明の開示】
【発明が解決しようとする課題】
【０００２】
壁紙は部屋の内部を装飾するのに使用され、しばしば家庭で使用される。壁紙は通常、模様が規則的に繰り返される特徴を有し、これにより、どのような大きさの部屋でも壁紙で装飾することができるが、時折、美的関心にかけることがある。
【０００３】
消費者が、壁紙に独特のデザインを付すように注文することができる。しなしながら、注文して印刷された壁紙であっても模様が繰り返される特徴を有するため、隣接する壁紙の幅を整列させなければならない。さらに、注文して製造される壁紙は、印刷するのに費用がかかる。
【０００４】
本発明は、便利で費用のかからない方法により、注文された壁紙を印刷する方法を提供することを目的とする。
【０００５】
本発明により、添付のクレームに示すように、方法、システム、および装置が提供される。本発明の好適な特徴は、添付のクレーム、および以下の説明から明らかとなる。
【課題を解決するための手段】
【０００６】
本発明は、デジタル画像を加工して壁紙を印刷する方法およびシステムを提供する。このシステムは、プリンタが接続されたホストコンピュータと、ユーザー端末コンピュータとを備え、これらは通信回線を介して通信する。このシステムを使用することにより、デザインの一部が印刷された複数の印刷物が提供される。このデザインは、端末コンピュータからホストコンピュータに送信されたデジタル画像に基づく。このデジタル画像は分割され、各部分は印刷物一枚に相当する。複数のプリントされた印刷物は壁に配列され、デザインが再び構成される。
【０００７】
本発明の第１の態様によると、印刷手段を備えるホストコンピュータと、端末コンピュータと、前記端末コンピュータおよびホストコンピュータを通信させることができる通信手段とを備えるプリントシステムにより、壁紙を印刷する方法が提供され、この方法は、（ａ）対象となる壁紙の境界の大きさを決定するステップと、（ｂ）前記通信手段を介して前記端末コンピュータからホストコンピュータにデジタル画像を送信して、壁紙のデザインを形成させるステップと、（ｃ）ホストコンピュータで、前記判定された対象となる壁紙の境界の大きさとほぼ等しい大きさに壁紙のデザインの大きさを変更するステップと、（ｄ）大きさが変更された壁紙デザインを、印刷物を配列してこの壁紙デザインを再び構成できるように各部が複数の印刷物に印刷されるよに分割するステップと、（ｅ）通信手段を介してホストコンピュータから端末コンピュータへ複数のプリントされる印刷物の画像を送信するステップと、（ｆ）ユーザーが見られるように端末コンピュータの画面に複数のプリントされる印刷物の画像を表示するステップと、（ｇ）前記ホストコンピュータの印刷手段で前記複数の印刷物を印刷するステップとを含む。
【発明を実施するための最良の形態】
【０００８】
図１は、本発明の好適な実施例の使用に適したプリントシステム１１０の概略図である。このプリントシステム１１０は、端末コンピュータ１２０と、ホストコンピュータ１３０とを備え、これらは通信ネットワーク１４０を介して通信する。好適な実施例では、端末コンピュータ１２０はユーザーの家庭用コンピュータであり、通信ネットワーク１４０はインターネットである。ホストコンピュータ１３０には、画像を印刷物１６０に印刷するプリンタ１５０が接続される。
【０００９】
好適な実施例では、プリンタ１５０は、ロールから供給される印刷物１６０に画像を印刷するプリンタである。これにより、印刷物は所定の幅を有し、裁断してどんな長さの印刷物も形成することができる。このプリンタ１５０は、印刷物１６０を色刷りするのに適した工業用のインクジェット式プリンタとすることができる。プリントシステム１１０の好適な実施例では、プリンタ１５０は、工業用で耐久性がある大型の平台式デジタル印刷機Ｄｕｒｓｔ  ＲＨＯ  １６０（登録商標）である。
【００１０】
このような大型の工業用インクジェットプリンタの使用には多くの利点がある。第１に、複数の印刷物にまたがって１のデジタル画像を正確に印刷し、後でこの印刷物を配列してデジタル画像を再び構成することができる。第２に、印刷物１６０はリールからリールへ印刷され、印刷後にはプリントされた印刷物１６０はリールに巻かれ、その後裁断して適した長さにすることができる。第３に、このような工業用の印刷機は、比較的高速で印刷物１６０を印刷することができる。最後に、工業用のインクジェットプリンタにより、様々な高解像度印刷モードが提供され、印刷物を写真のような見た目にすることができる。
【００１１】
プリントシステム１１０の好適な実施例では、印刷物１６０は、裏地が青色のポスター用紙であり、当該用紙は、耐湿性があり、ビニル樹脂仕上げである。プリンタ１５０は、紫外線（ＵＶ）硬化型インクを使用して裏地が青色の用紙に印刷する。有利なことに、このような紫外線硬化型インクを使うことにより、耐水性がある印刷画像が造られ、当該画像はまた色あせに強い。さらに、裏地が青色の印刷物は、接着剤を用いてダメージを生じさせることなく容易に壁に貼り付けることができ、相当な注意を払って、非溶剤性の予め混合された接着剤が使用される。
【００１２】
図２は部屋の壁２１０を示し、図１に示すプリントシステム１１０を用いて印刷された５枚の印刷物２２０、２３０、２４０、２５０が壁に張られている。
【００１３】
複数の印刷物２２０、２３０、２４０、２５０は、配列して壁に貼り付けられ、これにより複数の印刷物２２０、２３０、２４０、２５０にプリントされたデザイン２１１が再構成される。
【００１４】
壁紙が張られる範囲２１０の大きさは高さｈと幅ｗで定まり、これはまた壁紙の境界２６０の大きさとなる。壁２１０またはその一部の面積により、壁紙の境界２６０の大きさが決まる。
【００１５】
製造時、プリントされた複数の印刷物２２０、２３０、２４０、２５０は、壁紙の境界２６０の大きさと比較して大きなサイズで裁断される。したがって、ｈおよびｗで定まる大きさは、対象とする壁紙の境界２６０の大きさである。例えば、印刷物２２０、２３０、２４０、２５０が印刷されるとき、各印刷物の上側および下側の端部に、壁紙の境界２６０の外側に延在する付加的な端部が造られる。各印刷物の余分な端部は、複数の印刷物２２０、２３０、２４０、２５０を壁に貼る課程で除去され、これにより、完成した壁紙の範囲は対象とする壁紙の境界２６０の大きさとなる。
【００１６】
図１に示すプリントシステム１１０を用いて印刷された複数の印刷物２２０、２３０、２４０、２５０を製造する好適な方法を、図３に示すフローチャートを参照して説明する。
【００１７】
最初のステップ３１０は、対象とする壁紙の境界２６０の大きさを決定するステップを含む。
【００１８】
ステップ３２０は、通信ネットワーク１４０を介して端末コンピュータ１２０からホストコンピュータ１３０にデジタル画像を送信するステップを含む。当業者なら理解できるように、デジタル画像は、例えば、Ｊｏｉｎｔ  Ｐｈｏｔｏｇｒａｐｈｅｒｓ  Ｅｘｐｅｒｔ  Ｇｒｏｕｐ（ＪＰＥＧ）イメージ、Ｂｉｔｍａｐ（ＢＭＰ）イメージ、または他のデジタル画像ファイル形式のデジタル画像でもよい。複数の印刷物２２０、２３０、２４０、２５０に別々にプリントされるデザイン２１１は、ホストコンピュータ１３０に送信されたデジタル画像により形成される。
【００１９】
ステップ３３０は、デジタル画像の大きさを変更する。本発明の好適な実施例では、デジタル画像は、対象とする壁紙の境界２６０の大きさと等しいかより大きな面積に変更され、この境界によりデジタル画像の切り捨て部分が決まる。
【００２０】
ステップ３４０は、大きさが変更されたデジタル画像を複数の部分に分割するステップを含み、これらの部分がそれぞれ、複数の印刷物２２０、２３０、２４０、２５０のうちの一つに印刷される。
【００２１】
ステップ３４０では、どのような幅の印刷物も処理することができる。本発明の好適な実施例では、幅が５００ｍｍの複数の印刷物が使用され、大きさが変更された１以上のデジタル画像が適切に分割される。好ましくことに、５００ｍｍ幅の印刷物を用いると、各印刷物が壁紙貼り付けテーブルにフィットする。さらに、幅が１６００ｍｍの印刷物用ロールを用いて、幅が５００ｍｍのプリントされた印刷物を３つ作成し、同時に１００ｍｍの切り捨て部分を造ってもよい。さらに、この切り捨て部分に識別用のバーコードを印刷してもよい。
【００２２】
ステップ３５０では、デザイン２１１がプリントされる複数の印刷物２２０、２３０、２４０、２５０の画像が、端末コンピュータ１２０に送信される。
【００２３】
ステップ３６０では、ユーザーのために画像が端末コンピュータ１２０のディスプレイに表示される。本発明の好適な実施例では、ホストコンピュータ１３０は、端末コンピュータから空間的に離れている。したがって、プリントされる複数の印刷物２２０、２３０、２４０、２５０の画像をユーザーに表示することにより、ユーザーは壁紙が希望したものかどうか判断することができる。
【００２４】
ステップ３７０は、ホストコンピュータ１３０に接続されたプリンタ１５０で、複数の印刷物２２０、２３０、２４０、２５０を印刷するステップを含む。印刷した後、複数の印刷物２２０、２３０、２４０、２５０は壁２１０に配列されて接着剤で貼り付けられ、ユーザーの希望するデザイン２１１が再び構成される。
【００２５】
有利なことに、反復的でないデザイン２１１を壁２１０に張ることができ、これは、看者に美的な興味を起こさせる。さらに、この壁紙印刷方法により、簡単でかつ安価な方法で壁紙を造ることができる。
【００２６】
本発明の好適な実施例では、ステップ３１０は、ユーザーが端末コンピュータ１２０に対象とする大きさを入力することにより、対象とする壁紙の境界２６０の大きさを決定するステップを含む。この後、対象とする壁紙の境界２６０の大きさは、ホストコンピュータ１３０に送信される。
【００２７】
本発明の好適な実施例はさらに、ステップ３３０において、受信したデジタル画像をホストコンピュータ１３０に搭載されたハードディスクやメモリといった記憶装置に記憶するステップを含む。その後、受信したデジタル画像の拡大率が決定される。この拡大率は、要求される大きさや受信した画像データの大きさに依存する。
【００２８】
本発明の好適な実施例では、拡大率は、デジタル画像の大きさが対象とする壁紙の境界２６０の大きさと等しくなるのに必要な拡大率に相当する。代替的に、本発明の別の好適な実施例では、拡大率はユーザーによって決定され、１以上のデジタル画像が要求される大きさに変更される。拡大率が決定された後、デジタル画像はリサンプルされ、拡大率に応じてデジタル画像の大きさが変更される。
【００２９】
受信したデジタル画像はしばしば、許容できない程の画質の損失が生じずに拡大率に応じた大きさに変更できるほど解像度が高くない。例えば、この画質の損失として、ピクセリゼーションに伴う画像の輝度および色彩の減少や、画像自体の鮮明度の損失がある。
【００３０】
本発明の好適な実施例では、デジタル画像の大きさの変更は、アメリカ合衆国オレゴン州ポートランドにあるＥｘｔｅｎｓｉｓ  Ｉｎｃから入手可能なｐｘｌ  ＳｍａｒｔＳｃａｌｅ（商標）と呼ばれる市販のＡｄｏｂｅ  Ｐｈｏｔｏｓｈｏｐ（登録商標）の拡張版により行う。Ｐｘｌ  ＳｍａｒｔＳｃａｌｅ拡張版は、画質を劣化させることなくデジタル画像を元のデジタル画像の１６００％まで拡大することができる。
【００３１】
図４は、ステップ３３０において受信したデジタル画像の２つの例を示している。受信したデジタル画像ファイルの第１の例４１０は、１つのサブイメージを含んでいる。第２のデジタル画像ファイルは、２つのサブイメージ４２１、４２２を含んでいる。各サブイメージ４２１、４２２は、受信したデジタル画像ファイル４２０のサブセクションをなすよう構成されている。それぞれの例において、受信したデジタル画像の大きさを変更して、対象とする壁紙の境界２６０の大きさと同じにすることができる。
【００３２】
複数のサブイメージ４２１、４２２を含むデジタル画像ファイル４２０は、ユーザーが端末コンピュータ１２０で適切なソフトウェアを使って作成してもよい。ユーザーは、Ａｄｏｂｅ  Ｐｈｏｔｏｓｈｏｐ（登録商標）、Ｍｉｃｒｏｓｏｆｔ  Ｐａｉｎｔ、その他の適切な図形処理パッケージといったソフトウェアを使用してもよい。
【００３３】
本発明の好適な実施例では、デジタル画像ファイルは１つのデジタル写真である。代替的に、デジタル画像ファイルは、サブイメージ４２１、４２２のような複数のデジタル写真を含んでもよい。好適な実施例では、受信したデジタル画像はデジタル写真であり、このデジタル写真はＪＰＥＧファイルのフォーマットであることが好ましい。
【００３４】
本発明の好適な実施例では、ステップ３５０は、印刷される壁紙を構成する各印刷物２２０、２３０、２４０、２５０の境界に関する情報を端末コンピュータに送信するホストコンピュータ１３０を備えている。ステップ３６０では、ユーザーに表示する複数のプリントされた印刷物２２０、２３０、２４０、２５０の画像に加え、デザイン２１１に対する各印刷物の縁部の位置がユーザーに表示される。
【００３５】
有利なことに、デザイン２１１に対し、プリントされる各印刷物２２０、２３０、２４０、２５０の縁部を表示することにより、ユーザーは、デザイン２１１の審美的に美しくない部分に印刷物の縁部が配置されないかどうかを判断することができる。例えば、デザイン２１１の詳細な部分に印刷物の端部が配置された場合、ユーザーはデザイン２１１を移動したり、大きさを変えたりして、この部分が印刷物の端部に配置されるのを避けることができる。
【００３６】
本発明の好適な実施例では、この方法は複数の印刷物２２０、２３０、２４０、２５０の印刷費用を算出するステップを含む。算出された印刷費用は、対象とする壁紙の境界２６０の大きさに関連して決定される。さらに、複数の印刷物２２０、２３０、２４０、２５０の印刷費用は、端末コンピュータ１２０のディスプレイからユーザーに表示される。
【００３７】
さらに、本発明の好適な実施例は、複数の印刷物が印刷されたことの確認情報をユーザーに送信するステップを含む。
【００３８】
プリントシステム１１０および方法の好適な実施例を利用して、対象とする壁紙の境界２６０の大きさが最小で１．６×１．６メートルの複数の印刷物２２０、２３０、２４０、２５０が作成される。
【００３９】
本発明の好適な実施例では、本発明の方法は、インターネットにブロードバンド接続されたＡｐｐｌｅ  Ｇ５（商標）などのＡｐｐｌｅ  Ｍａｃｉｎｔｏｓｈ（登録商標）のホストコンピュータ１３０で、実行されるよう構成される。
【００４０】
当業者なら理解できるように、本発明の方法は、例えばアメリカ合衆国サンフランシスコにあるＭａｃｒｏｍｅｄｉａ  Ｉｎｃから入手可能であるＦｌａｓｈ（登録商標）、特にＡｄｏｂｅ  ＰｈｏｔｏｓｈｏｐやＤｕｒｓｔ  ＲＨＯ  １６０プリンタの操作に適した画像印刷ソフトウェアなどのツールを統合したＦｌａｓｈ  ＭＸ  ２００４を組み合わせて実現することができる。付加的あるいは代替的に、Ｊａｖａなどのプログラミング言語を使ってもよい。Ｊａｖａは、アメリカ合衆国カリフォルニア州にあるＳｕｎ  Ｍｉｃｒｏｓｙｓｔｅｍから入手できる。ｗｗｗ．ｐｈｐ．ｎｅｔで入手可能なオープンソース開発言語であるＰＨＰ４などのスクリプト言語とともに、ｗｗｗ．ｐｅｒｌ．ｃｏｍで入手可能なオープンソースの高級プログラミング言語であるＰｅｒｌを使って、前記方法を実現してもよい。
【００４１】
特に、この方法がＡｐｐｌｅ  Ｍａｃｉｎｔｏｓｈ（登録商標）コンピュータに実装された場合、ＡｐｐｌｅＳｃｒｉｐｔ（登録商標）と呼ばれる言語を使用してＡｄｏｂｅ  Ｐｈｏｔｏｓｈｏｐや付属の拡張ソフトであるｐｘｌ  ＳｍａｒｔＳｃａｌｅを制御し、受信したデジタル画像の大きさを変更してもよい。
【００４２】
いくつかの好適な実施例を示して説明したが、当業者なら理解できるように、添付のクレームに規定される本発明から逸脱しない範囲で、さまざまな変更や修正を加えてもよい。
【００４３】
本願に関連して本明細書とともに出願された総ての文書および書類に留意すべきであり、これらは公衆の閲覧のために本明細書とともに開示されるできであり、これらの総ての文書および書類の内容は本明細書を参照して理解されるべきである。
【００４４】
本明細書（添付の請求項、要約、および図面を含む）で開示された総ての特徴、および／または開示された方法や工程における総てのステップは、少なくともこのような特徴および／またはステップが互いに排他する組合せ以外でいかようにも組み合わせることができる。
【００４５】
本明細書（添付の請求項、要約、および図面を含む）で開示された各構成は、他で明記している場合を除き、同一、同等あるいは類似の目的を果たす代替的な構成により置換可能である。したがって、他で明記している場合を除き、開示された各構成は、いくつもある同一または類似する特徴の包括的な一例にすぎない。
【００４６】
本発明は前述した実施例の詳細な説明により制限されるものではない。本発明は、本明細書（添付の請求項、要約、および図面を含む）で開示された特徴のうち、新規な一の特徴あるいはこれらの新規な組合せ、または開示された方法あるいは工程のステップのうちの新規な一のステップあるいはこれらの新規な組合せに及ぶものである。
【図面の簡単な説明】
【００４７】
本発明をより理解すべく、また、本発明の実施例がどのような効果を有するのか、ここで例示として添付の概略図を参照する。
【図１】図１は、本明細書に説明される方法を利用したシステムの概略図である。
【図２】図２は、本発明により製造された壁紙で装飾された壁の図である。
【図３】図３は、本発明の方法におけるステップを詳細に説明するフローチャートである。
【図４】図４は、本発明の方法の利用に適した２つのデジタル画像を示す図である。
【図１】
2007534252.tif 000003
【図２】
2007534252.tif 000004
【図３】
2007534252.tif 000005
【図４】
2007534252.tif 000006
【手続補正書】
【提出日】平成17年11月22日(2005.11.22)
【手続補正１】
【補正対象書類名】特許請求の範囲
【補正対象項目名】全文
【補正方法】変更
【補正の内容】
【特許請求の範囲】
【請求項１】
印刷手段（１５０）を備えるホストコンピュータ（１３０）と、端末コンピュータ（１２０）と、端末コンピュータ（１２０）およびホストコンピュータ（１３０）を通信させる通信手段（１４０）とを備えるプリントシステム（１１０）により壁紙を印刷する方法において、当該方法が：
（ａ）前記対象とする壁紙の境界の大きさの情報を前記通信手段を介して前記端末コンピュータから前記ホストコンピュータに送信することにより、対象とする壁紙の境界（２６０）の大きさを決定するステップと；
（ｂ）前記通信手段（１４０）を介して前記端末コンピュータ（１２０）からホストコンピュータ（１３０）にデジタル画像を送信して、壁紙のデザインを形成させるステップと；
（ｃ）ホストコンピュータ（１３０）で壁紙のデザインの大きさを変更して、前記決定された対象とする壁紙の境界（２６０）の大きさとほぼ等しい大きさにするステップと；
（ｄ）前記大きさが変更されたデザインを、複数の印刷物（２２０、２３０、２４０、２５０）としてプリントされるように分割し、このプリントされる印刷物を配列して前記対象とする壁紙の境界の大きさとほぼ同じ大きさの前記壁紙のデザインが再構成されるようにするステップと；
（ｅ）前記通信手段（１４０）を介して前記ホストコンピュータ（１３０）から端末コンピュータ（１２０）へ前記複数のプリントされる印刷物（２２０、２３０、２４０、２５０）の画像を送信するステップと；
（ｆ）ユーザーが見られるように前記端末コンピュータ（１２０）の画面に前記複数のプリントされる印刷物（２２０、２３０、２４０、２５０）の画像を表示するステップと；
（ｇ）前記ホストコンピュータ（１３０）の印刷装置（１５０）で前記複数の印刷物（２２０、２３０、２４０、２５０）を印刷するステップと；
を含むことを特徴とする方法。
【請求項２】
請求項１に記載の方法において、前記ステップ（ａ）は、前記対象とする壁紙の境界（２６０）の大きさを、前記端末コンピュータ（１２０）が当該大きさを前記ホストコンピュータ（１３０）に送信することにより、決定するステップを含むことを特徴とする方法。
【請求項３】
請求項１または２に記載の方法において、前記ステップ（ｃ）は：
前記受信したデジタル画像を前記ホストコンピュータ（１３０）の記憶装置に記憶するステップと；
前記デジタル画像の拡大率を決定するステップと；
前記デジタル画像をリサンプルして、前記決定された拡大率により当該デジタル画像の大きさを変更するステップと；
を含むことを特徴とする方法。
【請求項４】
請求項１乃至３に記載の方法において、前記ステップ（ｂ）は、複数のサブイメージを含むデジタル画像を前記ホストコンピュータに送信するステップを含むことを特徴とする方法。
【請求項５】
請求項１乃至４に記載の方法において：
ステップ（ｅ）は、前記端末コンピュータ（１２０）に各印刷物の縁部の位置に関する情報を送信するステップを含み；
ステップ（ｆ）は、ユーザーに各印刷物の縁部の位置を表示するステップと；
を含むことを特徴とする方法。
【請求項６】
請求項１乃至５に記載の方法が、前記決定された対象とする壁紙の境界（２６０）の大きさに基づいて、前記壁紙を印刷する費用を計算するステップを含むことを特徴とする方法。
【請求項７】
請求項１乃至６に記載の方法において、前記デジタル画像はデジタル写真であることを特徴とする方法。
【請求項８】
請求項１乃至７に記載の方法において、前記対象とする壁紙の境界（２６０）の大きさは少なくとも１．６ｍ×１．６ｍであることを特徴とする方法。
【請求項９】
請求項１乃至８に記載の方法を実現するよう構成された端末コンピュータ。
【請求項１０】
請求項１乃至８に記載の方法を実現するよう構成されたホストコンピュータ。
【国際調査報告】
2007534252.tif 000007
2007534252.tif 000008